(57)【特許請求の範囲】
【請求項１】
ニオイ情報を送信する送信システムとニオイ情報を受信する受信システムとを有しニオイ情報を送受信するニオイコミュニケーションシステムであって、
複数のニオイの各原臭区分に対応して予め配設した複数のニオイ要素セルを管理する情報を含むニオイレコードを格納したデータベースと、
前記データベースを管理するデータベース管理システムと、
ニオイ要素セルの行およびニオイ要素セルの列で構成する一つ以上のニオイ要素セル層と前記ニオイ要素セル層から選択してニオイ物質を放出するためのＸ軸選択アームおよびＹ軸選択アームを有するニオイ要素選択機構とを含むニオイ要素セル格納装置を有するニオイ生成装置とを備え、
前記受信システムは、前記データベース、前記データベース管理システム、および前記ニオイ要素セル格納装置を有する前記ニオイ生成装置を備え、前記データベース管理システムは、前記ニオイレコードを前記データベースから操作抽出することを特徴とするニオイコミュニケーションシステム。
【請求項２】
前記ニオイ生成装置は、前記ニオイ要素セルの行および前記ニオイ要素セルの列で構成する前記一つ以上のニオイ要素セル層と前記ニオイ要素セル層から選択してニオイ物質を放出するための前記Ｘ軸選択アームおよび前記Ｙ軸選択アームを有する前記ニオイ要素選択機構とを含む前記ニオイ要素セル格納装置を有するニオイベース(ＯＢ)と、前記送信システムから送信されたニオイ情報に基づいて所定のニオイ物質を放出するように前記ニオイベースを管理操作するニオイベース管理システム(ＯＢＭＳ)とを有することを特徴とする請求項１に記載のニオイコミュニケーションシステム。
【請求項３】
前記ニオイレコードは、前記ニオイ生成装置の前記ニオイ要素セルを特定するための横方向位置（Ｘ）、縦方向位置（Ｙ）、高さ位置（Ｚ）、ニオイ要素、前記ニオイ要素セルの開始日、前記ニオイ要素セルの有効期限、識別番号の情報を含むことを特徴とする請求項１に記載のニオイコミュニケーションシステム。
【請求項４】
前記ニオイベース管理システムは、前記ニオイベースの前記ニオイ要素セルを特定するための横方向位置（Ｘ）、縦方向位置（Ｙ）、高さ位置（Ｚ）の位置情報及び前記ニオイ要素セルから一定量のニオイ物質を放出するための放出量制御情報を含むＯＢ操作レコードに基づいて前記ニオイベースから特定のニオイ要素セルを選択し、ニオイ物質を放出することを特徴とする請求項２に記載のニオイコミュニケーションシステム。
【請求項５】
ニオイ情報を送信する送信システムとニオイ情報を受信する受信システムとを有しニオイ情報を送受信するニオイコミュニケーションシステムであって、
ニオイ要素セルを横方向に一個以上並べたニオイ要素セル行とニオイ要素セルを縦方向に一個以上並べたニオイ要素セル列で構成したニオイ要素セル層と、前記ニオイ要素セル層を構成する一個以上の前記ニオイ要素セルから選択してニオイ物質を放出するためのニオイ要素選択機構と、前記ニオイ要素セル層と前記ニオイ要素選択機構の組み合わせの層を一層以上積層した層とを有するニオイ要素セル格納装置を備え、
前記受信システムは、前記ニオイ要素セル層、前記ニオイ要素選択機構、および前記ニオイ要素セル格納装置を備えることを特徴とするニオイコミュニケーションシステム。
【請求項６】
前記ニオイ要素セル格納装置から出力されたニオイ空気を流入するためのニオイ空気流入路と、前記ニオイ空気を攪拌するためのファンと、ニオイを分析するためのニオイ分析装置に流出するための分析検査用ニオイ排出路と、ニオイ空気を排出するためのニオイ空気出力路とを備える容器で形成された混合器で更に構成されることを特徴とする請求項５に記載のニオイコミュニケーションシステム。
【請求項７】
前記ニオイ要素選択機構は、前記ニオイ要素セル層を構成する一個以上の前記ニオイ要素セルに各々設けたニオイ放出ノズルの取り付け位置からずれることなく各々対応して設けられたニオイ通過穴をもつＸ軸の双方向に移動する各々のＸ軸選択アームとＹ軸の双方向に移動する各々のＹ軸選択アームとを備えることを特徴とする請求項５に記載のニオイコミュニケーションシステム。
【請求項８】
前記ニオイ要素選択機構は、複数の前記Ｘ軸選択アームと複数の前記Ｙ軸選択アームに各々設けられた複数の前記ニオイ通過穴のうち、前記Ｘ軸選択アームのニオイ通過穴と前記Ｙ軸選択アームのニオイ通過穴とが開いた穴の状態のときに前記ニオイ要素セルからニオイ物質を放出し、前記ニオイ通過穴が閉じた穴の状態のときには前記ニオイ要素セルからニオイ物質を放出しないことを特徴とする請求項７に記載のニオイコミュニケーションシステム。
【請求項９】
前記ニオイ要素選択機構は、操作信号に従って前記Ｘ軸選択アームがＸ軸の双方向に移動し、前記Ｙ軸選択アームがＹ軸の双方向に移動することを特徴とする請求項７に記載のニオイコミュニケーションシステム。
【請求項１０】
前記ニオイ要素セル層が回転可能であり、前記ニオイ要素選択機構は、ノズル押圧機構が横方向に移動することと前記ニオイ要素セル層が回転することにより、前記ニオイ要素セル層を構成する一個以上の前記ニオイ要素セルから特定のニオイ要素セルに位置することによって前記特定のニオイ要素セルからニオイ物質を放出することを特徴とする請求項５に記載のニオイコミュニケーションシステム。
【請求項１１】
前記ニオイ要素セルは、ニオイ物質を収容する容器と、ニオイ物質を圧縮もしくは脱臭済みの圧縮空気と混合したガス状態で前記容器に封入する内部空間と、前記ニオイ要素セルを取り付け基板のソケットに契合接続するための接続部と、前記容器のニオイ物質をニオイ通過穴を介して取得するための第一ヘッドと、前記第一ヘッドによって取得されたニオイ物質をニオイ通過穴を介して取得しニオイ物質を外部へ放出するための第二ヘッドとを有することを特徴とする請求項５に記載のニオイコミュニケーションシステム。
【請求項１２】
前記第一ヘッドの底部と前記ニオイ要素セルの底部との間には、前記第一ヘッドを前記ソケットの方向に常に押圧する弾性部材を設置し、閉じた状態では前記弾性部材及び内部空間の圧縮空気圧により両者は完全に密着し、前記ニオイ要素セルの内部のニオイは外部に漏れないように作用し、前記第一ヘッドの内部は空間を有し、前記第一ヘッドの底部付近には複数個のニオイ通過穴を設け、第一ヘッド内部空間とニオイ要素セル内部空間とを連結することによって、前記ニオイ要素セルの内部に封入されたニオイは前記複数個のニオイ通過穴を通って前記第一ヘッドの内部空間に拡散するように作用することを特徴とする請求項１１に記載のニオイコミュニケーションシステム。
【請求項１３】
前記ニオイ要素セルに収容されるニオイコンテンツは固形状ニオイ物質、昇華する固形状物質にニオイ物質を混合させた固形状ニオイ物質、あるいは多孔質の物質にニオイ物質を吸収させた固形状ニオイ物質のいずれの状態であってもよく、ニオイコンテンツの中央には貫通穴を設け、空気流が前記貫通穴を通過することによってニオイ空気流となるように作用することを特徴とする請求項５に記載のニオイコミュニケーションシステム。
【発明の詳細な説明】
【０００１】
【技術分野】
この発明は、ニオイを通信回線を使用し受信発信するマルチメディアにおけるニオイコミュニケーションシステムに関する。
【０００２】
【背景技術】
三条西公正著「香道」（淡交社、１９７１）によれば、平安時代に嗜んでいた香合わせを元祖とし、これをさらに発展させた香道が足利義政の時代から現在まで連綿と伝わっている。香道を実践することにより一切の邪念を振り払い精神を統一し自己練磨することができる。香道は、人間生活をより幸福に優雅にしてきた優れた日本文化である。さらに、高木貞敬著「臭覚の話」（岩波書店、１９７４）によれば、人間は、よいニオイをかぐ時、深呼吸がおこるとともに気分がよくなる。また、よいニオイは血圧を下降し過度の緊張をほぐすなどの鎮静効果がある。恋しい人のニオイを嗅ぐと心身が充実し無上の幸福状態になり、そのニオイを一生忘れることができない人々はたくさんいる。
【０００３】
ニオイが人間を含めた全生命体に与える影響は計り知れないものがある。ニオイの種類は、自然界に無限に存在し、ニオイを分類する試みが有史以来なされてきた。ギリシアの昔、アリストテレスはその「感覚と感覚されるものについて」（第５章、ＴＩＥＰＩ
ＡＩΣΘＨΣＥＯΣ ＫＡＩ ＡＩΣΘＨＴΩＮ、ＢＣ３４８〜３３４頃）の中でニオイを、甘い、酸っぱい、つんとくる、豊かな、脂肪、収斂性、そして糞様の七種類に分類している。人間を含めた全ての生物は、ニオイを識別することによりコミュニケーションを行っている。動物の世界では、ある種のニオイが分泌され、それが特別な意味をもち、仲間やほかの動物たちに信号を送っている。例えば、非常に優れた臭覚をもつ昆虫（例えばカイコ）は腹部の腺からある特別なニオイ（フェロモン）を発散させることにより１０キロメートル以上の距離を隔てコミュニケーションを行っている。
【０００４】
米国特許第５，７２４，２５６号は、マルチメディアのコンピュータシステムにおいて使用されるコンピュータ制御のニオイ合成及びニオイ供給装置を開示している。米国特許第５，６７５，０７０号は、ニオイ識別を目的としたガスセンサ配列を利用する人工ニオイシステムを開示している。米国特許第４，８９５，０１７号は、マイクロコンピュータを使用した空気中に拡散した化学物質を検知する装置及び方法を開示している。米国特許第５、１７７，９９４号は、センサで検知したニオイ信号をニューラルネットワークで識別するニオイ検知システムを開示している。特開平４−２８３６５７は、ガスクロマトグラフを質量分析装置を用いたガスクロマトグラフ／質量分析装置を開示している。
【０００５】
しかし、これらのニオイシステムは、ニオイのコミュニケーション方式を開示していない。特開平９−２９２８２４は、符号化されたニオイ情報を利用し、通信受信者に送信者と共通の、あるいは所望のニオイ感覚の体験を可能とするための擬似ニオイ発生媒体を開示している。さらに、ディスク上に配置塗布されたマイクロカプセルをレーザ照射により選択的に破壊することによってニオイを発生させる疑似ニオイ発生方法およびその装置並びに疑似ニオイ発生媒体を開示している。しかし、ニオイ要素セルを使用し、ニオイ選択機構によって所望のニオイ要素を得るスイッチング方法ならびに装置に基づくニオイコミュニケーションシステムを開示していない。
【０００６】
さらに、従来、人間を含めた全生物により行われているニオイのコミュニケーションは、伝達距離に限界があり、伝達内容が自然環境に大きく左右されるという問題点があった。ニオイの伝達距離に限界がなく、自然環境に左右されない信頼度の高いニオイのコミュニケーション方式は存在しなかった。
【０００７】
そこで、本発明は、伝達距離に限界がなく、自然環境に左右されない信頼度の高いニオイのコミュニケーション方式を実現することを目的としている。
【０００８】
【発明の開示 】
データ送信装置とデータ受信装置で構成されるデータ送受信システムにおいて、データ送信装置がニオイ発生源のニオイの成分と質量を測定するニオイ分析装置を有し、データ受信装置がデータ送信システムから送信された人間の嗅細胞を刺激するニオイ物質としてのニオイの成分と質量に基づいてニオイとして認識する物質であるニオイ物質を放出するニオイ生成装置を有する。
【０００９】
ニオイ分析装置は、ニオイ発生源のニオイ成分を分離するニオイ成分分離装置と、ニオイ成分の質量スペクトルを得るための質量分析装置を有する。
【００１０】
ニオイ生成装置は、複数のニオイの各原臭区分に対応して予め配設した複数のニオイ要素セルを有するニオイベース（ＯＢ）と、データ送信システムから送信されたニオイ発生源の各ニオイ要素、質量及び質量比、温度、湿度、各ニオイ要素の強さを示すピーク値及びその持続時間を各ニオイ要素毎に示すグラフデータに基づいて所定のニオイ物質を放出するようにニオイベースを管理操作するニオイベース管理システム（ＯＢＭＳ）を有する。
【００１１】
データ受信装置は、複数のニオイの各原臭区分に対応して予め配設した複数のニオイ要素セルを管理する情報を含むニオイレコードを格納したデータベースと、データ送信システムから送信されたニオイ発生源の各ニオイ要素に対応したニオイレコードを抽出しニオイ生成装置に出力するデータベース管理システムを有する。
【００１２】
ニオイレコードは、ニオイ生成装置のニオイ要素セルを特定するための横方向位置（Ｘ）、縦方向位置（Ｙ）、高さ位置（Ｚ）、ニオイ要素、ニオイ要素セル開始日、ニオイ要素セル有効期限、識別番号の情報を含む。
【００１３】
ニオイベース管理システムは、ニオイベースのニオイ要素セルを特定するための横方向位置（Ｘ）、縦方向位置（Ｙ）、高さ位置（Ｚ）の位置情報及びニオイ要素セルから一定量のニオイ物質を放出するための放出量制御情報を含むＯＢ操作レコードに基づいてニオイベースから特定のニオイ要素セルを選択し、ニオイ物質を放出する。
【００１４】
圧搾空気を送風する圧搾空気送風装置と、圧搾空気を清浄な空気に濾過する清浄器と、ニオイベース管理システムからの操作信号に従ってニオイ要素セルを選択することにより放出したニオイを清浄な空気に含めたニオイ空気を出力するニオイ要素セル格納装置と、ニオイ要素セル格納装置から出力されたニオイ空気を混合する混合器と、混合器で混合されたニオイの成分分析を実行することにより成分分析の結果をニオイベース管理システムに出力するニオイ分析装置と、混合器で混合されたニオイのニオイ拡散器への放出を開閉する開閉器と、混合器で混合されたニオイを保存する保存処理装置と、混合器で混合されたニオイを消去する消去処理装置とを有する。
【００１５】
混合器は、ボール状の丸い容器で形成されており、ニオイ要素セル格納装置から出力されたニオイ空気を流入するためのニオイ空気流入路と、ニオイ空気を攪拌するためのファンと、混合器で混合されたニオイをニオイ分析装置へ流出するための分析検査用ニオイ排出路と、混合器で混合されたニオイを排出するためのニオイ空気出力路を有する。
【００１６】
ニオイ要素セル格納装置は、ニオイ要素セルを横方向に一個以上並べたニオイ要素セル行とニオイ要素セルを縦方向に一個以上並べたニオイ要素セル列で構成したニオイ要素セル層と、ニオイ要素セル層を構成する一個以上のニオイ要素セルから選択してニオイ物質を放出するためのニオイ要素選択機構とを有し、ニオイ要素セル層とニオイ要素選択機構の組み合わせの層を一層以上積層する。
【００１７】
ニオイ要素選択機構は、ニオイ要素セル層を構成する一個以上のニオイ要素セルに各々設けたニオイ放出ノズルの取り付け位置からずれることなく各々対応して設けられたニオイ通過穴をもつＸ軸の双方向に移動する各Ｘ軸選択アームとＹ軸の双方向に移動する各Ｙ軸選択アームで構成する。
【００１８】
ニオイ要素選択機構は、複数のＸ軸選択アームと複数のＹ軸選択アームに各々設けられた複数のニオイ通過穴のうち、Ｘ軸選択アームのニオイ通過穴とＹ軸選択アームのニオイ通過穴とが開いた穴の状態のときにニオイ要素セルからニオイ物質を放出し、ニオイ通過穴が閉じた穴の状態のときにはニオイ要素セルからニオイ物質を放出しないように作用する。
【００１９】
ニオイ要素選択機構は、ニオイベース管理システムが出力する操作信号に従ってＸ軸選択アームがＸ軸の双方向に移動し、Ｙ軸選択アームがＹ軸の双方向に移動するように作用する。
【００２０】
ニオイ要素セル層は回転可能であり、ノズル押圧ヘッドが横方向（双方向）に移動することとニオイ要素セル層が回転することにより、ニオイ要素セル層を構成する一個以上のニオイ要素セルのうち特定のニオイ要素セルの上方に位置することによって特定のニオイ要素セルからニオイ物質を放出する。
【００２１】
ニオイ要素セルは、ニオイ物資を収容する容器と、ニオイ物質を圧縮もしくは脱臭済みの圧縮空気と混合したガス状態で容器に封入した本体と、ニオイ要素セルを取り付け基板のソケットに契合接続するための接続部と、本体のニオイ物質をニオイ通過穴を介して取得するための第一ヘッドと、第一ヘッドによって取得されたニオイ物質をニオイ通過穴を介して取得しニオイを外部へ放出するための第二ヘッドとを有する。
【００２２】
接続部は、ニオイ要素セルのプラグの周囲に形成された窪みに取り付け基板のソケットの内側周囲にわたって形成された凸部が契合することによって接続固定されるか、もしくはニオイ要素セルのプラグの周囲に形成された螺旋状の溝と取り付け基板のソケットの内側全体にわたって形成された螺旋状の凸部が契合することによって接続固定される。
【００２３】
ニオイ要素セルは、固形状ニオイ物質、昇華する固形状物質にニオイ物質を混合させた固形状ニオイ物質、あるいは多孔質の物質にニオイ物質を吸収させた固形状ニオイ物質の状態であるニオイコンテンツを有し、ニオイコンテンツの中央に、空気流が貫通する貫通穴を設けることによりニオイ空気流が生ずる。
【００２４】
ニオイベース管理システムは、ニオイベースからニオイを生成し拡散するニオイ拡散処理を実行し、生成し拡散されたニオイを分析し比較するニオイ比較処理を実行し、ニオイ比較処理の結果に基づいて所定の比較結果を得るまでニオイ拡散の微調整を繰り返し実行するニオイ拡散微調整処理を実行し、所定の比較結果を得ることによって処理を終了する。
【００２５】
ニオイ比較処理は、データ送信システムから送信されたニオイ成分、質量、温度、湿度等のニオイ情報とニオイ要素セル格納装置を操作することによって発生したニオイ成分、質量、温度、湿度等のニオイ情報とを比較する。
【００２６】
ニオイ比較処理は、データ送信システムから送信されたニオイ成分のピーク値と保持時間（分）を示すグラフデータとニオイ要素セル格納装置を操作することによって獲得したニオイ成分のピーク値と保持時間（分）を示すグラフデータとを比較する。
【００２７】
ニオイ比較処理は、人間の感覚の強さとニオイ物質の濃度による刺激の強さの関係に基づくニオイ物質の濃度に従った所定の値と生成した前記ニオイの濃度とを比較する。
【００２８】
コンピュータ処理用のプログラムを記録した記憶媒体であって、ニオイベースからニオイを生成し拡散するニオイ拡散処理と、生成し拡散されたニオイを分析し比較するニオイ比較処理と、ニオイ比較処理の結果に基づいて所定の比較結果を得るまでニオイ拡散の微調整を繰り返し実行するニオイ拡散微調整処理を実行するプログラムを記録媒体に記録する。
【００２９】
上記のように構成されたニオイコミュニケーションシステムを起動すると、ニオイ生成装置は、複数のニオイの各原臭区分に対応して予め配設した複数のニオイ要素セルを有するニオイベース（ＯＢ）をニオイベース管理システム（ＯＢＭＳ）が管理操作することによって、データ送信システムから送信されたニオイ発生源の各ニオイ要素、質量及び質量比、温度、湿度、各ニオイ要素の強さを示すピーク値及びその持続時間を各ニオイ要素毎に示すグラフデータに基づいて所定のニオイ物質を放出する。
【００３０】
ニオイベース管理システムは、ニオイベースのニオイ要素セルを特定するための横方向位置（Ｘ）、縦方向位置（Ｙ）、高さ位置（Ｚ）の位置情報及びニオイ要素セルから一定量のニオイ物質を放出するための放出量制御情報を含むＯＢ操作レコードに基づいてニオイベースから特定のニオイ要素セルを選択し、ニオイ物質を放出する。
【００３１】
ニオイベース管理システムが出力する操作信号に従って、ニオイ要素選択機構はＸ軸選択アームがＸ軸の双方向に移動し、Ｙ軸選択アームがＹ軸の双方向に移動するように作用する。ニオイ要素選択機構は、複数のＸ軸選択アームと複数のＹ軸選択アームに各々設けられた複数のニオイ通過穴のうち、Ｘ軸選択アームのニオイ通過穴とＹ軸選択アームのニオイ通過穴どうしが開いた穴の状態のときにニオイ要素セルからニオイ物質を放出し、ニオイ通過穴が閉じた穴の状態のときにはニオイ要素セルからニオイ物質を放出しない。
【００３２】
また、ニオイ要素セル層は回転可能であり、ノズル押圧ヘッドが横方向（双方向）に移動することとニオイ要素セル層が回転することにより、ニオイ要素セル層を構成する一個以上のニオイ要素セルから特定のニオイ要素セルの上方に位置することによって特定のニオイ要素セルからニオイ物質を放出する。
【００３３】
ニオイベース管理システムは、ニオイベースからニオイを生成し拡散するニオイ拡散処理を実行し、生成し拡散されたニオイを分析し比較するニオイ比較処理を実行し、ニオイ比較処理の結果に基づいて所定の比較結果を得るまでニオイ拡散の微調整を繰り返し実行するニオイ拡散微調整処理を実行し、所定の比較結果を得ることによって処理を終了する。
【００３４】
ニオイ比較処理は、データ送信システムから送信されたニオイ成分、質量、温度、湿度等のニオイ情報とニオイ要素セル格納装置を操作することによって発生したニオイ成分、質量、温度、湿度等のニオイ情報とを比較する。
【００３５】
ニオイ比較処理は、データ送信システムから送信されたニオイ成分のピーク値と保持時間（分）を示すグラフデータとニオイ要素セル格納装置を操作することによって獲得したニオイ成分のピーク値と保持時間（分）を示すグラフデータとを比較する。さらに、ニオイ比較処理は、人間の感覚の強さとニオイ物質の濃度による刺激の強さの関係に基づくニオイ物質の濃度に従った所定の値と生成したニオイの濃度とを比較する。
【００３６】
【発明を実施するための最良の形態】
第１図は、本発明のニオイコミュニケーションシステムの全体構成の概念を示す全体システム構成図である。送り手側のニオイ送信システム８はニオイ捕獲器１０、ニオイ分析装置１２、Ａ／Ｄ変換器１４、そしてＣＰＵ１６を有する。ニオイ送信システム８のニオイ捕集器１０はニオイ発生源のニオイを捕集する。ニオイは、人間の嗅細胞を刺激するニオイ物質である。ニオイ物質は、ニオイとして認識できる物質である。捕集されたニオイは、ガスクロマトグラフ、赤外線分析器、質量分析器等で構成されたニオイ分析装置１２により成分分析し、ニオイ成分、質量、温度、湿度等のニオイ情報を出力する。ニオイ情報はＡ／Ｄ変換器１４によりデジタル変換し、ＣＰＵ（Ｃｅｎｔｒａｌ Ｐｒｏｃｅｓｓｉｎｇ Ｕｎｉｔ）１６に入力する。ＣＰＵ１６はインターネット１８に接続されているので、ニオイ情報を受け手側に送信できる。送り手側から受け手側への接続方式は、ここではインターネット１８を用いて説明しているが、他のオンライン通信回線による通信接続もしくはケーブル等の接続線による直接接続のどちらでもよい。受け手側のニオイ受信システム２０は、ＣＰＵ２２、ＤＢＭＳ（ＤａｔａＢａｓｅ Ｍａｎａｇｅｍｅｎｔ Ｓｙｓｔｅｍ）２４、ＤＢ（Ｄａｔａ Ｂａｓｅ）２６、接続線２８、ニオイ生成装置３１、ニオイ拡散器３４、そして記録媒体３５を有する。ニオイ生成装置３１は、ニオイベース管理システムであるＯＢＭＳ（ＯｄｏｒＢａｓｅ Ｍａｎａｇｅｍｅｎｔ Ｓｙｓｔｅｍ）３０、ニオイベースであるＯＢ（Ｏｄｏｒ Ｂａｓｅ）３２で構成する。ニオイ要素セル格納装置２９は、ＯＢ３２の構成要素の装置である。ニオイ受信システム２０は、送り手側のニオイ送信システム８から送信されたニオイ情報を受信する。正常に受信すれば正常メッセージとともに受信完了信号を送り手側のニオイ送信システム８に送信する。受信状態が異常であれば、異常メッセージとともに再送要求信号を送り手側のニオイ送信システム８に送信する。ＣＰＵ２２は受信したニオイ情報をＤＢＭＳ２４に出力する。ＤＢＭＳ２４はニオイ情報に基づいてニオイレコードを格納したＤＢ２６を操作する。ＣＰＵ２２、ＤＢＭＳ２４、ＯＢＭＳ３０は、接続線２８により接続される。ＯＢＭＳ３０は、ＤＢＭＳ２４により操作抽出されたニオイレコードに基づいてＯＢ３２を操作する。ＯＢ３２は、ＯＢＭＳ３０が操作することにより、ニオイレコードに基づいたニオイを生成しニオイ拡散器３４から拡散する。記録媒体３５は、ニオイを生成するための実行プログラムを記録する。接続線２８は、さらにディスプレイ装置、プリンタ、その他の周辺装置を接続する。
【００３７】
第２図は、ニオイ生成装置３１のＯＢ３２を構成するニオイ要素セル格納装置２９の第一の実施例の概観を示す図である。ニオイ要素セル格納装置２９は、ニオイ物質を放出するノズルを設けたニオイ要素セルと、ニオイ要索セルを横方向に一個以上並べたニオイ要素セル行とニオイ要素セルを縦方向に一個以上並べたニオイ要素セル列で構成したニオイ要素セル層と、ニオイ要素セル層を構成する一個以上のニオイ要素セルから選択してニオイ物質を放出するためのニオイ要素選択機構と、ニオイ要素セル層とニオイ要素選択機構の組み合わせの層を一層以上積層して組み立てる。脱臭処理された空気３６を入力空気路３８に送る。ニオイ要素セル格納装置２９は複数のニオイ要素セル４０を配列する。配列されたニオイ要素セル４０の上層に取り付け枠４２を設け、各々のニオイ要素セル４０を配列する。取り付け枠４２は、上層に設けられた取り付け基板４４に取り付ける。取り付け基板４４の上層にはニオイ要素選択機構４６を設ける。取り付け基板４４の上層には空気路４８を設ける。空気路４８は両開口であり、一方の開口部は入力空気路３８と接続し、他方の開口部は出力空気路５０と接続する。脱臭処理された空気３６は入力空気路３８を通過し、ニオイ要素選択機構４６により選択されることにより空気路４８に漂うニオイ要素セル４０から放出されたニオイを出力空気路５０に運び、出力空気路５０の開口より出力ニオイ５２として放出する。入力空気路３８、空気路４８、出力空気路５０等のニオイ通過路はステンレス、ガラス、デコラ等のニオイが付着しない材料で製造されている。ニオイ要素セル格納装置２９は、複数のニオイ要素セル４０、取り付け枠４２、取り付け基板４４、ニオイ要素選択機構４６、そして空気路４８を有するニオイ要素セル層を一層以上積層して構成する。
【００３８】
第３図は、第２図で示された各層のニオイ要素セル層のうち、一層を拡大した状態を示したものである。空気路４８は、図示されているように中空５４であり両端が開口である。
【００３９】
第４図は、第３図で示された一層のニオイ要素セル層のうち、取り付け枠４２及び複数のニオイ要素セル４０を取り外した状態を示す。取り付け基板４４は、複数のニオイ要素セル４０の各々に対応するように中空５８の構造に形成されたソケット５６を複数個配設する。
【００４０】
第５図は、第２図で示されたニオイ要素セル格納装置２９の正面図を示す。第６図は、第２図で示されたニオイ要素セル格納装置２９の左側面図を示す。第７図は、第２図で示されたニオイ要素セル格納装置２９の右側面図を示す。
【００４１】
第８図は、ニオイ要素セルの正面図を示す。第９図は、ニオイ要素セルの平面図を示す。ニオイ要素セル４０は、ニオイ物質を収める容器６８、プラグ６４、ニオイ放出ノズル６０を有する。容器６８に収められたニオイ物質は、圧縮して封入されるか、あるいは脱臭した圧縮空気との混合ガスとして封入される。プラグ６４は、図示されているようにプラグ６４の周囲に窪み６６を形成する。ニオイ放出ノズル６０には、ニオイ放出ノズル６０が容器６８にむかって押される時、容器６８に収められたニオイ物質を噴出する穴６２が設けられている。ニオイ物質を収める容器６８は、同図においては立方形状を示しているが、円柱形状であっても何ら差し支えない。さらに、卵型であってもよいし、その他任意の形状であってよい。
【００４２】
第１０図は、プラグ６４がソケット５６に差し込まれた状態を示す。プラグ６４とソケット５６が、プラグ６４の周囲に形成された窪み６６にソケット５６の内側周囲にわたって形成された凸部７２が契合することによって接続固定された状態を示す。第１１図は、プラグ６４とソケット５６が、プラグ６４の周囲に形成されたおねじ７０とソケット５６の内側全体にわたって形成されためねじが契合することによって接続固定された状態を示す。
【００４３】
第１２図は、取り付け基板４４に向かって見たときのソケット５６の形状を示す。ソケット５６の内側には、空隙７６を設けたノズル固定板７４を設ける。ニオイ要素セル４０のプラグ６４がソケット５６に契合接続すると、ニオイ放出ノズル６０が容器６８にむかって押され、容器６８に収められたニオイ物質が穴６２から噴出し、噴出したニオイ物質が空隙７６を通過する。
【００４４】
第１３図は、ニオイ要素セルの、契合接続前のノズルの状態を示す。プラグ６４が契合接続する前は、ニオイ放出ノズル６０の長さは何の変化もない。従って、ニオイ放出ノズル６０に設けられた穴６２からはニオイは噴出しない。
【００４５】
第１４図は、契合接続後のノズルの状態を示す。プラグ６４が契合接続した後は、ニオイ放出ノズル６０がノズル固定板７４によって容器６８の方向に押される。
第１５図は、契合接続後のノズルからニオイが噴出する状態を示す。波線矢印で示したように、ニオイ放出ノズル６０の穴６２から容器６８に収められたニオイ物質７８が噴出する。
【００４６】
第１６図は、ニオイ要素選択機構４６の第１の実施例の選択アーム群の交差の関係を示す。選択アーム群は複数のＸ軸（横方向）選択アーム１００と複数のＹ軸（縦方向）選択アーム９８を有する。各Ｘ軸選択アーム１００と各Ｙ軸選択アーム９８の各穴と、複数のソケット５６の内側の各空隙７６は対応して位置しており、これによってニオイ空気の流れの開閉の選択が可能となる。同図は、複数のＸ軸（横方向）選択アーム１００の内の一本と複数のＹ軸（縦方向）選択アーム９８の内の一本との交差の関係を示す図である。各Ｘ軸選択アーム１００の一方にはアーム移動機構部１０８を設け、入力されたＯＢ操作信号に従って矢印方向にＸ軸選択アーム１００を移動させる。さらに、各Ｘ軸選択アーム１００の他方には復元機構部１１０を設け、移動したＸ軸選択アーム１００を入力されたＯＢ操作信号に従って元の位置に復元移動させる。同様に、各Ｙ軸選択アーム９８の一方にはアーム移動機構部１１２を設け、入力されたＯＢ操作信号に従って矢印方向にＹ軸選択アーム９８を移動させる。さらに、各Ｙ軸選択アーム９８の他方には復元機構部１０６を設け、移動したＹ軸選択アーム９８を入力されたＯＢ操作信号に従って元の位置に復元移動させる。
【００４７】
第１７図は、同じ位置で各穴が交差することにより各穴が開いた状態（ＯＮ）になり空気が流れるニオイ通過穴９６の関係を示す。複数のＸ軸（横方向）選択アーム１００の内の一本と複数のＹ軸（縦方向）選択アーム９８の内の一本が同じ位置で各穴が交差することにより空気が流れる状態（ＯＮ）の開いたニオイ通過穴９６の関係を示す。
【００４８】
第１８図は、異なる位置で各穴が交差することにより空気が流れない穴１１４の状態（ＯＦＦ）になった関係を示す。複数のＸ軸（横方向）選択アーム１００の内の一本と複数のＹ軸（縦方向）選択アーム９８の内の一本が異なる位置で各穴が交差することにより空気が流れない閉じた穴１１４の状態（ＯＦＦ）になった関係を示す。アーム移動機構部１０８，１１２による動作のみで矢印方向の移動復元動作を実現するときは、復元機構部１０６，１１０を省いてもよい。
【００４９】
第１９図は、複数のＸ軸（横方向）選択アームと複数のＹ軸（縦方向）選択アームの各穴の関係を詳細に示す。複数のＸ軸（横方向）選択アーム１００の各穴２５４は、複数のＹ軸（縦方向）選択アーム９８の各穴２５０と、いずれも交差しない状態を示す。さらに、これらの各穴は、各アームの下部に存在する複数のソケット５６の各穴２５２ともいずれも交差していない状態を示す。
【００５０】
第２０図は、第１９図における複数のＹ軸（縦方向）選択アームのうち一本のみが選択され動作した状態を示す。複数のＹ軸選択アームのうち一本が選択され動作することにより、選択されたＹ軸選択アームは、下部に存在する複数のソケット５６の内の一個の穴２５２を選択する配置をとる。
【００５１】
第２１図は、第２０図における複数のＸ軸（横方向）選択アームのうち一本のみが選択され動作した状態を示す。複数のＸ軸選択アームのうち一本が選択され動作することにより、選択されたＸ軸選択アームは、下部に存在する複数のソケット５６の内の一個の穴２５２を選択する配置をとる。従って、Ｘ軸選択アームとＹ軸選択アームは、それぞれ選択され動作することにより各穴が交差し、下部に存在する複数のソケット５６の内の一個の穴２５２を選択し、ニオイ要素セル４０からニオイ物質を放出する穴９６を実現（ＯＮ）する。
【００５２】
第２２図は、第１９図における複数のＸ軸及びＹ軸の選択アームのうちそれぞれ一本のみが選択され動作した状態を示す。第１９図から第２１図を用いて説明した場合と同様に複数のＸ軸及びＹ軸の選択アームのうちそれぞれ一本のみが選択され動作することにより、ニオイ要素セル４０からニオイ物質を放出する穴９６を実現（ＯＮ）する。
【００５３】
第２３図は、ニオイ要素セルと選択機構の第二の実施例を示す。ニオイ要素セル３０４は、プラグ２９６を有する。取り付け基板３０６は、既に説明した取り付け基板４４と同様にニオイ要素セル３０４を取り付けることを目的とする基板である。ここで、第１６図で説明した選択アーム群の内、Ｘ軸（横方向）選択アーム１００は、本図のＸ軸方向のウォーム２５６に相当し、Ｙ軸（縦方向）選択アーム９８は、本図のＹ軸方向のウォーム２７８に相当する。また、第１６図で説明したＸ軸選択アーム１００の穴は、本図のニオイ通過穴２９２に相当し、Ｙ軸選択アーム９８の穴は、本図のニオイ通過穴２９８に相当する。プラグ２９６の中央には、第一ヘッド３００が上下方向に移動しかつ第一ヘッド３００との間の空気漏れ等の隙間を生じさせない大きさの穴を設ける。プラグ２９６の中央に接する部分の第一ヘッド３００の形状は本実施例では円筒型であるが、四角柱、その他の多角柱等であってもよい。ニオイ要素セル３０４の内部空間３０８に位置する第一ヘッド３００の下方には、図示されているように第一ヘッド３００から外側に向かって高さが低くなってゆく傾斜状の縁３０１を第一ヘッド３００の周囲に一様に設ける。また、第一ヘッド３００の傾斜状の縁と接するプラグ２９６の接触部分２９９は、第一ヘッド３００の傾斜状の縁３０１と同一の角度と形状を有する。第一ヘッド３００の底部３０３とニオイ要素セル３０４の底部３０５との間には、図示されているようにバネ３０２を設置する。バネ３０２は、第一ヘッド３００をプラグ２９６方向に常に押圧している。従って、両者が接触部分２９９で接触する状態、つまり閉じた状態ではバネ３０２及び内部空間３０８の圧搾ニオイ空気圧により両者は完全に密着するので、ニオイ要素セル３０４の内部のニオイは外部に漏れることはない。図示されているように、第一ヘッド３００の内部は、空間２９５を有する。第一ヘッド３００の底部付近には複数個のニオイ通過穴２９８が設けられ、第一ヘッド３００の内部空間２９５とニオイ要素セル３０４の内部空間３０８とを連結する。ニオイ要素セル３０４の内部に封入されたニオイは、複数個のニオイ通過穴２９８を通って第一ヘッド３００の内部空間に拡散する。ニオイ要素セル３０４の第一ヘッド３００の外部に位置する上端周辺には、後述するような凸状の複数個の突起２９０を有し、凹凸状になっている。複数個の突起２９０は、円盤型ガイド２８４の片面に設けられた凹凸形状の溝に嵌め込まれる。円盤型ガイド２８４の外側は、おねじがきられており、回転円筒２８０の内側にきられためねじ２８２とかみあう。回転円筒２８０の上部には、ウォーム２７８とかみあうウォームホイール２７６を設ける。ウォームホィール２７６の中央には、Ｙ軸方向のウォーム２７８が回転することによりウォームホイール２７６が回転しても第二ヘッド２７４が接触しないで収まる大きさの穴２７７を設ける。回転円筒２８０の上方周囲には、支持体２６６がはめ込まれたとき摩擦を生じないで安定した回転運動ができる大きさの凹形状の溝２６７を設ける。従って、回転円筒２８０が回転する方向に従って円盤型ガイド２８４が回転することなく上下方向に移動する。同図は、第一ヘッド３００の複数個のニオイ通過穴２９８が開（ＯＮ）の状態を示す。なお、図示してないが、ニオイ要素セル３０４に封入されたニオイが効果的に放出するために、ニオイ要素セル３０４の容器本体の周囲を電気信号で制御できる発熱体で覆うことによって、必要に応じて加熱できる。例えば、ニオイ要素セル３０４に封入されたニオイの残存量が少なくなったとき、電気信号で制御し発熱体を加熱することによって、ニオイのガスを膨張させて有効に放出できる。
【００５４】
ニオイ要素セル３０４の第一ヘッド３００の外部に位置する上端中央には、第二ヘッド２７４が第一ヘッド３００に隙間なく上下方向に移動できる大きさの穴を有する。第二ヘッド２７４の長手方向の中央には、パイプ２５８を有する。第一ヘッド３００の内部空間２９５に流入したニオイは、複数個のニオイ通過穴２９２を通過し、パイプ２５８の内部通路２６０を経て、最終的にニオイ要素セル３０４の外部へ放出される。ここで、第一ヘッド３００の場合と同様に、第二ヘッド２７４及びパイプ２５８の形状は、本実施例では円筒型を用いたが、四角柱、その他の多角柱であっても良い。第一ヘッド３００の内部空間２９５に位置する第二ヘッド２７４の下方には、図示されているように第二ヘッド２７４から外側に向かって高さが低くなってゆく傾斜状の縁２９３が第二ヘッド２７４の底部周辺に一様に設けられる。第二ヘッド２７４の底部と第一ヘッド３００の内部空間２９５の底部との間には、図示されているようにバネ２９４を設ける。第二ヘッド２７４から突き出たパイプ２５８の長手方向の表面には、支持側板２６２を設ける。支持側板２６２は、円盤型ガイド２７２の中央部を上下（Ｚ軸）方向に滑らかに移動するが、円盤型ガイド２７２が回転しないように作用する。円盤型ガイド２７２の外側は、おねじがきられており、回転円筒２６８の内側にきられためねじ２７０とかみあう。回転円筒２６８の上部には、Ｘ軸方向のウォーム２５６とかみあうウォームホィール２６４を設ける。ウォームホィール２６４の中央には、ウォーム２５６が回転することによりウォームホィール２６４が回転してもパイプ２５８及び支持側板２６２が接触しないで収まる大きさの穴２６３を設ける。回転円筒２６８の上方周囲には、支持体２６６がはめ込まれたとき摩擦を生じないで安定した回転運動ができる大きさの凹形状の溝２６５を設ける。従って、回転円筒２６８が回転する回転方向に従って円盤型ガイド２７２が回転することなく上下方向に移動する。同図では、第二ヘッド２７４の複数個のニオイ通過穴２９２は開（ＯＮ）の状態を示す。従って、第一ヘッド３００の複数個のニオイ通過穴２９８が開（ＯＮ）の状態であり、第二ヘッド２７４の複数個のニオイ通過穴２９２は開（ＯＮ）の状態であるので、ニオイ要素セル３０４の内部空間３０８に充満する圧搾ニオイ空気はパイプ２５８の内部通路２６０より外部へ放出される。
【００５５】
第２４図は、第２３図で示した実施例において第一ヘッドが開（ＯＮ）であり、第二ヘッドが閉（ＯＦＦ）である状態を示す。他の動作に関する説明は、第２３図を用いて説明した通りである。
【００５６】
第２５図は、第一及び第二ヘッドをパイプの上方（＋Ｚ）から見た図である。パイプ２５８の外表面上に、支持側板２６２を設ける。第一ヘッド３００の外側周辺には、凸状の複数個の突起２９０を設け、凹凸状になっている。複数個の突起２９０は、円盤型ガイド２８４の片面に設けられた凹凸形状の溝に嵌め込まれる。従って、円盤型ガイド２８４は、空回りすることなく第一ヘッド３００の上下方向の運動を制御し、ニオイ通過穴２９８の開閉を制御する。
【００５７】
第２６図は、第２３図で示した実施例において第一ヘッドが閉（ＯＦＦ）であり、第二ヘッドが閉（ＯＦＦ）である状態を示す。他の動作に関する説明は、第２３図を用いて説明した通りである。
【００５８】
第２７図は、第２３図で示した実施例において第一ヘッドが閉（ＯＦＦ）であり、第二ヘッドが開（ＯＮ）である状態を示す。他の動作に関する説明は、第２３図を用いて説明した通りである。
【００５９】
第２８図は、ニオイ要素選択機構４６の第３の実施例である可動選択機構の平面図を示す。可動選択機構は、Ｘ軸方向に移動するＸ軸方向可動機構１３４、Ｙ軸方向可動機構１３６、ノズル押圧部１３８，１４２、Ｘ軸方向可動機構１３４が移動するためのレール１３２、Ｙ軸方向可動機構１３６が移動するためのレール１４０、等で構成する。複数個のニオイ要素セルのニオイ放出ノズル６０は、ノズル固定版７４を設けないソケット（図示せず）にプラグ６４を契合接続した取り付け基板４４から上方に向かって突き出る。ノズル押圧部１３８，１４２は、入力される選択信号に応じてどちらか一方（あるいは両方）が選択されてニオイ放出ノズル６０を押下する。押下されたニオイ放出ノズル６０は、ニオイ物質を空気路４８内に放出する。
【００６０】
第２９図は、ニオイ要素選択機構４６の第４の実施例であるニオイ要素セル層回転型の可動選択機構の平面図を示す。各々のニオイ要素セルを取り付ける基板１７６は中心軸Ｃを中心に回転機構（図示せず）により矢印方向１８６に回転する。Ｘ及びＹ軸方向の各々のニオイ要素セルは、回転型基板１７６に設けられたソケット（図示せず）にニオイ要素セルの各々のプラグ６４を契合することにより、各々のニオイ放出ノズル６０を回転型基板１７６から上面に向かって（＋Ｚ方向）突出させて取り付ける。ノズル押圧機構１８２は、入力されたノズル押圧制御信号に従ってノズル移動部１８０により所望のニオイ要素セルのニオイ放出ノズル６０上に移動する（±Ｘ方向）。次に、ノズル押圧機構１８２がそのニオイ放出ノズル６０を押圧することによりニオイ放出穴１８４から所望のニオイ要素セルのニオイ物質を放出する。ノズル移動機構部１８０は、±Ｘ方向に移動する機構であれば回転ネジ方式、ピニオンラック方式、ウォームギア方式、電動駆動方式、その他何でも良い。
【００６１】
第３０図は、ニオイ要素選択機構４６の第５の実施例であるニオイ要素セル層回転型の可動選択機構の平面図を示す。第４の実施例と第５の実施例とは、ニオイ要素セル層が回転型である点において同じであるが、各々のニオイ放出ノズル６０を押圧する機構が異なる。第５の実施例であるニオイ要素セル層回転型の可動選択機構は、ヘッド移動アーム１８８、横方向（±Ｘ方向）移動部１９０、移動機構部１９２、ニオイ放出穴１９４、ノズル押圧ヘッド１９６を有する。ヘッド移動アーム１８８は、入力されたノズル押圧制御信号に従って移動機構部１９２が横方向（±Ｘ方向）に移動することによって所望のニオイ要素セルを特定する。次に、ノズル押圧ヘッド１９６は、移動機構部１９２を支点１９８として移動アーム１８８の端部２００を押上機構（図示せず）によって押し上げることによって所望のニオイ要素セルのニオイ放出ノズル６０を押し下げてニオイ放出穴１９４からニオイ物質を放出する。横方向（±Ｘ方向）移動部１９０は、横方向（±Ｘ方向）に移動する機構であれば回転ネジ方式、平歯車方式、ウォームギア方式、電動駆動方式、その他何でも良い。
【００６２】
第３１図は、ニオイ生成装置３１のＯＢ３２の構成要素であるニオイ要素セル格納装置２９の第二の実施例の概観を示す。脱臭処理された空気８０を入力空気路８２に送る。入力空気路８２は、下側空気路８４に接続される。下側空気路８４は一方のみが開口であり、他方は閉じている。下側空気路８４の上層には、ニオイ要素選択機構８６を設ける。下側空気路８４の上部には、ニオイ要素選択機構８６に向かって、入力空気が流出するように穴が設けられている（図示せず）。ニオイ要素選択機構８６の上層には、複数のニオイ要素セルを配列する。複数のニオイ要素セル８８の上層には上側空気路９０を設ける。複数のニオイ要素セル８８に収められたニオイコンテンツの各々には後述するように、空気通過穴が設けられており各々のニオイ要素セル８８に接する側に設けられた上側空気路９０の各々の穴（図示せず）と連結している。上側空気路９０の一方は閉じており、他方は出力空気路９２と連結している。従って、上側空気路９０の内部の空気は出力空気路９２の内部に流出する。脱臭処理された空気８０は入力空気路８２を通過し、下側空気路８４を通過し、ニオイ要素選択機構８６により選択されることにより入力空気はニオイ要素セル８８の内部を通過し、発生したニオイを上側空気路９０に放出し、出力空気路９２を通過して出力ニオイ９４を放出する。入力空気路８２、下側空気路８４、上側空気路９０、出力空気路９２等のニオイ通過路はステンレス、ガラス、デコラ等のニオイが付着しない材料で製造される。ニオイ要素セル層は一層もしくは複数層である。なお、同図においては図示してないが、ニオイ要素セルのニオイ発散特性を考慮してニオイ要素セル８８の層と上側空気路９０との間にさらにニオイ要素選択機構を設けることにより特定のニオイ成分の選択度を向上させることができる。
【００６３】
第３２図は、第３１図に示したニオイ要素セル格納装置２９の第二の実施例の縦断面の状態を示す図である。脱臭処理された空気８０を入力空気路８２に送る。入力空気路８２から下側空気路８４に流入した空気は、ニオイ要素選択機構８６により空気流入が可能となるように選択された（ＯＮ状態）ニオイ通過穴９６を通過し、ニオイコンテンツ１０２を通過して、ニオイを含めた空気流を上側空気路９０へ放出する。放出された上側空気路９０のニオイ空気流は、さらに出力空気路９２へ進み、出力ニオイ９４として放出される。なお、同図においては図示してないが、ニオイ要素セルのニオイ発散特性を考慮してニオイ要素セル８８の層と上側空気路９０との間にさらにニオイ要素選択機構を設けることにより特定のニオイ成分の選択度を向上させることができる。
【００６４】
第３３図は、ニオイ要素セル８８に収容されるニオイコンテンツ１０２の形状を示す。ニオイコンテンツ１０２は固形状ニオイ物質、昇華する固形状物質にニオイ物質を混合させた固形状ニオイ物質、あるいは多孔質の物質にニオイ物質を吸収させた固形状ニオイ物質のいずれの状態であってもよい。ニオイコンテンツ１０２の中央には、貫通穴１０４が設けられている。空気流が貫通穴１０４を通過することによってニオイ空気流となる。形状は四角柱を図示したが、円柱、その他の任意形状であって良い。
【００６５】
第３４図は、ニオイ生成装置３１の機能関連を詳細に示す。ニオイ生成装置３１は、ＯＢＭＳ３０とＯＢ３２を有する。ＯＢ３２は、圧搾空気送風装置１４４、清浄器１４６、ニオイ要素セル格納装置２９、混合器１４８、ニオイ分析装置１５０、そして開閉器１５２を有する。圧搾空気送風装置１４４から送風された空気は、清浄器１４６に送られる。清浄器１４６は、微細な孔を多く有する活性炭を有しており、送風入力された空気から有害成分を除去した清浄な空気をニオイ要素セル格納装置２９へ送風出力する。ニオイ要素セル格納装置２９の特定のニオイ要素セルが選択されることにより発生したニオイ空気は混合器１４８へ送風出力される。混合器１４８内のニオイ空気は、ニオイ分析装置１５０により成分分析され、ニオイ成分、質量、温度、湿度等のニオイ情報の分析結果がＯＢＭＳ３０に出力される。ニオイ分析装置１５０は、ガスクロマトグラフ、赤外線分析器、質量分析器等で構成される。ＯＢＭＳ３０は、ニオイ送信システム８から送信されたニオイ成分と生成したニオイ成分とを比較する。所望の比較結果を得ないときは、所望の結果を得るようにニオイ要素セル格納装置２９へ特定のニオイ要素セルから補償分だけニオイ成分を放出するようにＯＢＭＳ３０がニオイ放出の微調整操作をする。混合器１４８の中のニオイ空気は、ニオイ分析装置１５０により成分分析され、その分析結果がＯＢＭＳ３０に出力される。ＯＢＭＳ３０は、ニオイ送信システム８から送信されたニオイ成分と混合器１４８の中の生成されたニオイ空気成分とを比較する。このプロセスは、所望の比較結果を得るまで繰り返す。所望の比較結果を得たときは、開閉器１５２を開くことによりニオイ出力をニオイ拡散器３４に出力する。利用者１５６は、ニオイ拡散器３４から出力されたニオイを嗅ぐことによって、ニオイ送信システム８から送信されたニオイ１５４を満喫できる。
【００６６】
第３５図は、ニオイ要素セル格納装置と混合器の関係を示す。ニオイ要素セル格納装置２９の選択された一個のニオイ要素セルが放出したニオイは、必要に応じて任意の一個のニオイ中間格納器３２２に一端格納する。ニオイ中間格納器３２２の入力経路は、入力量を制限する開閉器３２８を有し、出力経路は、出力量を制限する開閉器３１６を有する。他の一個のニオイ要素セルが放出したニオイは、必要に応じて他の任意の一個のニオイ中間格納器３２４に一端格納する。ニオイ中間格納器３２４の入力経路は、入力量を制限する開閉器３３０を有し、出力経路は、出力量を制限する開閉器３１８を有する。さらに他の一個のニオイ要素セルが放出したニオイは、必要に応じて他の任意の一個のニオイ中間格納器３２６に一端格納する。ニオイ中間格納器３２６の入力経路は、入力量を制限する開閉器３３２を有し、出力経路は、出力量を制限する開閉器３２０を有する。さらに他の一個のニオイ要素セルが放出したニオイについても同様に、必要に応じてニオイ中間格納器に一旦格納する。各々のニオイ中間格納器に格納されたニオイは、ポンプ３１４により混合器１４８へ送られる。混合器１４８は、ニオイの混合条件を調整する温度調整容器３１０に納められる。混合器１４８がニオイを混合する過程で、混合されたニオイ３１２は、ニオイ分析装置１５０に送られ成分分析される。所望のニオイが混合生成されたとき、混合器１４８からニオイ物質を放出ＯＵＴする。
【００６７】
第３６図は、混合器１４８の構造を示す。混合器１４８は、ニオイ空気流入路１６０、混合器本体カバー１６２、分析検査用ニオイ排出路１６８、ニオイ空気出力路１６９、攪拌ファン１６６、シャフト１７０、駆動モータ１７２で構成する。混合器本体カバー１６２は、上側カバーと下側カバーで構成しており、接合部１７１で密着接合する。ニオイ空気１５８は、ニオイ要素セル格納装置２９から特定のニオイ要素セルが選択されることにより発生したものであり、混合器１４８のニオイ空気流入路１６０を通り混合器内部１６４に送風出力される。混合器本体カバー１６２は、ボール状の丸形状に形成することにより混合器内部１６４でのニオイ空気の攪拌効率を高めることが出来る。混合器本体は、ステンレス、ガラス、デコラ等のニオイが付着しない材料で製造する。あるいは、混合器本体の内側表面をステンレス、ガラス、その他のニオイが付着しない材料で表面加工しても良い。
【００６８】
第３７図は、ＯＢＭＳ３０の処理内容を説明する図である。ニオイ生成方法は、ニオイを生成し拡散するニオイ拡散処理１１６を実行し、生成し拡散されたニオイを分析し比較するニオイ比較処理１１８を実行し、ニオイ比較処理の結果に基づいて所定の比較結果を得るまでニオイ拡散の微調整を繰り返し実行するニオイ拡散微調整処理１２４を実行し、そして所定の比較結果を得ることによって所望のニオイを生成する。ＯＢＭＳ３０はＤＢＭＳ２４より得たニオイ情報に基づきニオイ拡散処理１１６をＯＢ３２に対して実行する。ＯＢ３２より拡散され放出されたニオイを前述のニオイ分析装置と同様の装置を用いて同様の方法でニオイ分析１２０する。次に、受信したニオイ情報Ｏｒと生成したニオイ情報Ｏｇとの比較１２２を実行する。比較１２２には、受信したニオイ情報Ｏｒと生成したニオイ情報Ｏｇの部分情報であるガスクロマトグラフによるグラフも含めて実行する。データ送信システムから送信されたガスクロマトグラフによるグラフは、ニオイ成分のピーク値と保持時間（分）を含む。ニオイ要素セル格納装置を操作することによって獲得したニオイのガスクロマトグラフによるグラフも、同様にピーク値と保持時間（分）を含む。ＯｒとＯｇとの比較１２２の結果に差が生じている場合は、ニオイ拡散微調整処理１２４を実行することにより所望のニオイを得るまでニオイ拡散微調整処理１２４を繰り返す。このとき、生成されたニオイが人体に有害であったり、環境に悪影響を与えるニオイであるときは、予め設定した有害ニオイ成分情報（図示せず）と比較することにより、開閉器１５２を閉じてニオイ物質を放出しないでアラームを鳴らすとともにディスプレイ表示することにより状況の危険を利用者に知らせる。生成されたニオイ物質が人体に無害であり、環境に悪影響を与えないニオイ物質のときは、開閉器１５２を開き生成されたニオイ物質を放出するとともにニオイの成分、原臭区分、分類、その他のニオイ情報をディスプレイに表示する。記録媒体３５は、ニオイベースからニオイを生成し拡散するニオイ拡散処理１１６と、生成し拡散された前記ニオイを分析し比較するニオイ比較処理１１８と、前記ニオイ比較処理の結果に基づいて所定の比較結果を得るまでニオイ拡散の微調整を繰り返し実行するニオイ拡散微調整処理１２４を実行するコンピュータ処理用プログラムを記録する。
【００６９】
所望のニオイは、人間の感覚の強さとニオイ物質の濃度の関係を考慮することにより、最も効果的なニオイ濃度を設定することができる。ウェーバー−フェヒナーの感覚に関する法則によれば、人間の感覚の強さとニオイ物質の濃度による刺激の強さの関係は、次式で示される。
Ｒ＝ＫｌｏｇＳ
ここで、Ｒは人間の感覚の強さを、Ｓはニオイ物質の濃度による刺激の強さを表し、Ｋは一定の定数である。あるいは、スティーブンスの冪法則によれば、人間の感覚の強さとニオイ物質の濃度による刺激の強さの関係は、次式で示される。
Ｒ＝Ｋ・Ｓｎ
ここで、Ｒは人間の感覚の強さを、Ｓはニオイ物質の濃度による刺激の強さを表し、ｎは感覚の種類によって異なる定数であり、Ｋは一定の定数である。ｎの値は全般的に０．５に近い値であるので、いまｎ＝０．５とすれば、次式の通りとなり、人間の感覚の強さはニオイ物質の刺激の強さの平方根に比例する。
Ｒ＝Ｋ√Ｓ
いずれの関係に基づくにせよ、ニオイ物質の刺激がいかに強くなっても、人間の感覚の強さの増加は緩和されたものとなり、感覚が保護されたものとなる。従って、最も効果的なニオイ濃度を設定する際、上記の関係を考慮することによってより優れた効果のあるニオイ出力を実現することが出来る。ＯｒとＯｇとの比較１２２の結果に差が生じていないことと、人間の感覚の強さとニオイ物質の濃度による刺激の強さの関係を考慮することにより所望のニオイを効果的に生成することが出来る。所望のニオイを効果的に生成したならば処理を終了する。
【００７０】
第３８図は、ＯＢ３２が出力したニオイ出力の保存処理を説明する。ＯＢ３２が出力したニオイ出力量Ａの内、ニオイ量Ｂだけ出力ＯＵＴし、ニオイ余剰量Ａ−Ｂを保存するか否かを判断３３４する。保存する（ＹＥＳ）の場合、保存処理３３６を実行しＯＢ３２に戻り、必要に応じて格納する。保存しない（ＮＯ）の場合、消去処理３３８を実行する。
【００７１】
第３９図は、ニオイ保存装置の第一の実施例を示す。ニオイ空気１５８は、ニオイ空気流入路３４８を経てニオイ室３４０に入る。ニオイ室３４０は、ニオイ保存装置の本体３４２の内面（シリンダ）を隙間なくスライドするピストン３４６の移動により容積が増減する。ピストン３４６のクラウンと対向する本体３４２の端面は、ニオイ排出路３５５、ニオイ空気出力路３４４を有する。図示してないが、ニオイ空気流入路３４８、ニオイ排出路３５５、そしてニオイ空気出力路３４４の各々は、開閉器を備えており、必要に応じてニオイの流れを制御する。ニオイ室３４０のニオイを保存するには、ニオイ空気流入路３４８、及びニオイ空気出力路３４４の各々の開閉器を閉じ、ニオイ排出路３５５の端部にニオイ一時捕獲器３６０の結合路３５６のパイプ３５４を差し込むことにより結合部分３５８でニオイが漏れないように結合する。次に、ピストン３４６の移動方向を示す矢印の内ニオイ室３４０の容積を減少する方向に移動することにより、ニオイ室３４０のニオイをニオイ一時捕獲器３６０のニオイ捕獲室３６２に保存する。必要に応じて、ニオイ捕獲室３６２のニオイを、ニオイ要素セルに収容する。従って、ＯＢ３２は、新たにニオイ要素セルを取り付けることによって、新しい種類のニオイ物質を放出する。
【００７２】
第４０図は、ニオイ保存装置の第二の実施例を示す。第３６図で説明した混合器１４８のニオイ排出路１６８をポンプ３６６の吸入側のパイプ３６４に接続し、排出側のパイプ３６５にニオイ一時捕獲器３６０の結合路３５６のパイプ３５４を差し込む。ポンプ３６６を作動させることにより、混合器１４８の内部のニオイをニオイ一時捕獲器３６０のニオイ捕獲室３６２に保存する。必要に応じて、ニオイ捕獲室３６２のニオイを、ニオイ要素セルに収容する。従って、ＯＢ３２は、新たにニオイ要素セルを取り付けることによって、新しい種類のニオイ物質を放出する。
【００７３】
第４１図は、送り手側のニオイ送信システム８から送信されるデータ内容を示す。ニオイ送信システム８のニオイ分析装置１２により分析されたニオイ情報１２６は、ＩＤ、ニオイ要素、質量、質量比、温度、湿度、グラフデータを有する。ＩＤは、ニオイ要素の識別番号である。ニオイ要素はニオイ捕集器１０により捕集されたニオイ物質を構成するニオイ成分である。同図では、グラニオール、バニリン、メントール等をニオイ要素として一例として記載した。質量は、各ニオイ要素の質量（μｇ）を表す。質量比は、各ニオイ要素の質量比を表す。温度は、捕集時点での温度（℃）を表す。湿度は、捕集時点での湿度（％）を表す。グラフデータは、ガスクロマトグラフによって得られたグラフデータの識別番号を表す。
【００７４】
第４２図は、ガスクロマトグラフによって得られたグラフデータを各識別番号ＩＤ毎に対応させたグラフを示す。ニオイ捕集器１０により捕集されたニオイ物質を構成するニオイ成分は、各々のＩＤ番号１、２、３によって示された各ピークをもつ。ガスクロマトグラフによって得られたグラフデータは、ニオイの保持時間（分）とそのニオイの各ピークに対応したＩＤとの関係を表す。
【００７５】
第４３図は、ＤＢ２６に格納されたニオイレコード１２８を示す。ニオイレコード１２８は、ニオイレコードを識別するためのＩＤ、ニオイの系統を示す分類、ニオイの物質（化学物質）を示すニオイ要素、Ｘ軸選択アームの位置を示すＸ位置、Ｙ軸選択アームの位置を示すＹ位置、Ｚ軸選択アームの位置を示すＺ位置、ニオイ要素セルの開始日、ニオイ要素セルの有効期限、ニオイを大分類したときの原臭区分で構成される。原臭は、例えば、前述したアリストテレスによれば、その「感覚と感覚されるものについて」の中で述べているように、甘い、酸っぱい、つんとくる、豊かな、脂肪、収斂性、そして糞様の七種類に分類される。原臭区分は、この原臭の分類に基づくものである。ニオイレコード１２８は、新たにニオイ要素セルがニオイ要素セル格納装置２９に追加装備されたとき、上述の内容に従って更新される。本図では記載していないが、ニオイレコード１２８は、人がニオイの存在を検知できる濃度を示すニオイ検知閾値（ｐｐｍ）、ガスクロマトグラフがニオイの存在を検知できる濃度を示すガスクロマトグラフ閾値（ｐｐｍ）、人がニオイを識別できるニオイの濃度を示すニオイ認知閾値（ｐｐｍ）等の情報も含む。これらの情報は、前述したように人間の感覚の強さとニオイ物質の濃度の関係を考慮した最も効果的なニオイ濃度を設定するときに使用される。Ｘ軸選択アームの位置を示すＸ位置、Ｙ軸選択アームの位置を示すＹ位置、Ｚ軸上の位置を示すＺ位置は、それぞれ第２図の下方に示した座標系の各軸方向上に位置する。例えば、ＩＤが１のゲラニオールは、Ｚ位置が２段目であって、Ｘ、Ｙ軸選択アームの位置がそれぞれ１番目、３番目である。第１６図において説明したように、１番目のＸ軸選択アーム１００のアーム移動機構部１０８が動作するとともに３番目のＹ軸選択アーム９８のアーム移動機構部１１２が動作することにより空気流入が可能となるニオイ通過穴９６が形成される。このニオイ通過穴９６の穴の位置とゲラニオールのニオイ要素セルのソケットの穴の位置は一致している。従って、これらの穴を通過して、ニオイ要素セルのニオイが放出される。
【００７６】
第４４図は、ＯＢの操作情報を含むＯＢ操作レコードを示す。ＤＢ２６に格納されたニオイ情報１２６は、ＤＢＭＳ２４によりＩＤ毎に抽出される。ＯＢＭＳ３０は、ＤＢＭＳ２４によりＩＤ毎に抽出されたニオイ情報１２６に基づきＯＢ操作レコード１３０を作成する。ＯＢＭＳ３０はＯＢ操作レコード１３０の情報にしたがって、ＩＤ毎にＯＢ３２を操作する。ＯＢ操作レコード１３０は、ニオイレコードを識別するためのＩＤ、ニオイの放出量を制御するための放出時間（秒）を示す放出量制御情報Ｖ、Ｘ軸選択アームの位置を示す位置Ｘ、Ｙ軸選択アームの位置を示す位置Ｙ、Ｚ軸選択アームの位置を示す位置Ｚ等を含む。ＯＢＭＳ３０は、作成されたＯＢ操作レコード１３０に基づいて所望のニオイを生成する処理を実行する。
【００７７】
【産業上の利用可能性】
本発明は、以上説明したように構成されているので、以下に記載されるような効果を奏する。
【００７８】
ニオイ生成装置は、複数のニオイの各原臭区分に対応して予め配設した複数のニオイ要素セルを有するニオイベース（ＯＢ）をニオイベース管理システム（ＯＢＭＳ）が管理操作することによって、データ送信システムから送信されたニオイ発生源の各ニオイ要素、質量及び質量比、温度、湿度、各ニオイ要素の強さを示すピーク値及びその持続時間を各ニオイ要素毎に示すグラフデータに基づいて所定のニオイ物質を放出できる。
【００７９】
ニオイベース管理システムは、ニオイベースのニオイ要素セルを特定するための横方向位置（Ｘ）、縦方向位置（Ｙ）、高さ位置（Ｚ）の位置情報及びニオイ要素セルから一定量のニオイ物質を放出するための放出量制御情報を含むＯＢ操作レコードに基づいてニオイベースから特定のニオイ要素セルを選択し、ニオイ物質を放出できる。
【００８０】
ニオイベース管理システムが出力する操作信号に従って、ニオイ要素選択機構はＸ軸選択アームがＸ軸の双方向に移動し、Ｙ軸選択アームがＹ軸の双方向に移動するように作用する。ニオイ要素選択機構は、複数のＸ軸選択アームと複数のＹ軸選択アームに各々設けられた複数のニオイ通過穴のうち、Ｘ軸選択アームのニオイ通過穴とＹ軸選択アームのニオイ通過穴どうしが重なり合うときにニオイ要素セルからニオイ物質を放出し、ニオイ通過穴どうしが重なり合わないときにはニオイ要素セルからニオイ物質を放出しないように制御できる。
【００８１】
また、ニオイ要素セル層は回転可能であり、ノズル押圧ヘッドが横方向（双方向）に移動することとニオイ要素セル層が回転することにより、ニオイ要素セル層を構成する一個以上のニオイ要素セルから特定のニオイ要素セルの上方に位置することによって特定のニオイ要素セルからニオイ物質を放出できる。
【００８２】
ニオイベース管理システムは、ニオイベースからニオイを生成し拡散するニオイ拡散処理を実行し、生成し拡散されたニオイを分析し比較するニオイ比較処理を実行し、ニオイ比較処理の結果に基づいて所定の比較結果を得るまでニオイ拡散の微調整を繰り返し実行するニオイ拡散微調整処理を実行し、所定の比較結果を得ることによって処理を終了できる。
【００８３】
ニオイ比較処理は、データ送信システムから送信されたニオイ成分、質量、温度、湿度等のニオイ情報とニオイ要素セル格納装置を操作することによって発生したニオイ成分、質量、温度、湿度等のニオイ情報とを比較できる。
【００８４】
ニオイ比較処理は、データ送信システムから送信されたニオイ成分のピーク値と保持時間（分）を示すグラフデータとニオイ要素セル格納装置を操作することによって獲得したニオイ成分のピーク値と保持時間（分）を示すグラフデータとを比較できる。さらに、ニオイ比較処理は、人間の感覚の強さとニオイ物質の濃度による刺激の強さの関係に基づくニオイ物質の濃度に従った所定の値を比較できる。
【００８５】
さらに、本発明によれば、伝達距離に限界がなく、自然環境に左右されない信頼度の高いニオイのコミュニケーション方式を実現できる。
【図面の簡単な説明】
【図１】本発明のニオイコミュニケーションシステムの全体構成の概念を示す全体システム構成図である。
【図２】ニオイ要素セル格納装置の第一の実施例の概観を示す図である。
【図３】第２図で示された各層のニオイ要素セル層のうち、一層を拡大した状態を示したものである。
【図４】第３図で示された一層のニオイ要素セル層のうち、取り付け枠及び複数のニオイ要素セルを取り外した状態を示す。
【図５】第２図で示されたニオイ要素セル格納装置の正面図を示す。
【図６】第２図で示されたニオイ要素セル格納装置の左側面図を示す。
【図７】第２図で示されたニオイ要素セル格納装置の右側面図を示す。
【図８】ニオイ要素セルの正面図を示す。
【図９】ニオイ要素セルの平面図を示す。
【図１０】プラグがソケットに差し込まれた状態を示す。
【図１１】プラグとソケットが、おねじとめねじが契合することによって接続固定された状態を示す。
【図１２】取り付け基板に向かって見たときのソケットの形状を示す。
【図１３】ニオイ要素セルの、契合接続前のノズルの状態を示す。
【図１４】契合接続後のノズルの状態を示す。
【図１５】契合接続後のノズルからニオイが噴出する状態を示す。
【図１６】ニオイ要素選択機構の第１の実施例の選択アーム群の交差の関係を示す。
【図１７】同じ位置で各穴が交差することにより各穴が開いた状態（ＯＮ）になり空気が流れるニオイ通過穴の関係を示す。
【図１８】異なる位置で各穴が交差することにより空気が流れない穴の状態（ＯＦＦ）になった関係を示す。
【図１９】複数のＸ軸（横方向）選択アームと複数のＹ軸（縦方向）選択アームの各穴の関係を詳細に示す。
【図２０】第１９図における複数のＹ軸（縦方向）選択アームのうち一本のみが選択され動作した状態を示す。
【図２１】第２０図における複数のＸ軸（横方向）選択アームのうち一本のみが選択され動作した状態を示す。
【図２２】第１９図における複数のＸ軸及びＹ軸の選択アームのうちそれぞれ一本のみが選択され動作した状態を示す。
【図２３】ニオイ要素セルと選択機構の第二の実施例を示す。
【図２４】第２３図で示した実施例において第一ヘッドが開（ＯＮ）であり、第二ヘッドが閉（ＯＦＦ）である状態を示す。
【図２５】第一及び第二ヘッドをパイプの上方（＋Ｚ）から見た図である。
【図２６】第２３図で示した実施例において第一ヘッドが閉（ＯＦＦ）であり、第二ヘッドが閉（ＯＦＦ）である状態を示す。
【図２７】第２３図で示した実施例において第一ヘッドが閉（ＯＦＦ）であり、第二ヘッドが開（ＯＮ）である状態を示す。
【図２８】ニオイ要素選択機構の第３の実施例である可動選択機構の平面図を示す。
【図２９】ニオイ要素選択機構の第４の実施例であるニオイ要素セル層回転型の可動選択機構の平面図を示す。
【図３０】ニオイ要素選択機構４６の第５の実施例であるニオイ要素セル層回転型の可動選択機構の平面図を示す。
【図３１】ニオイ生成装置のＯＢの構成要素であるニオイ要素セル格納装置の第二の実施例の概観を示す。
【図３２】第３１図に示したニオイ要素セル格納装置の第二の実施例の縦断面の状態を示す図である。
【図３３】ニオイ要素セルに収容されるニオイコンテンツの形状を示す。
【図３４】ニオイ生成装置の機能関連を詳細に示す。
【図３５】ニオイ要素セル格納装置と混合器の関係を示す。
【図３６】混合器の構造を示す。
【図３７】ＯＢＭＳの処理内容を説明する図である。
【図３８】ＯＢが出力したニオイ出力の保存処理を説明する。
【図３９】ニオイ保存装置の第一の実施例を示す。
【図４０】ニオイ保存装置の第二の実施例を示す。
【図４１】送り手側のニオイ送信システムから送信されるデータ内容を示す。
【図４２】ガスクロマトグラフによって得られたグラフデータを各識別番号ＩＤ毎に対応させたグラフを示す。
【図４３】ＤＢに格納されたニオイレコードを示す。
【図４４】ＯＢを操作するための操作情報を示す図である。
【符号の説明】
２９  ニオイ要素セル格納装置
３０  ニオイベース管理システム
３１  ニオイ生成装置
３２  ニオイベース
４０  ニオイ要素セル
４６，８６  ニオイ要素選択機構  ニオイ要素選択機構
９８  Ｙ軸選択アーム
１００  Ｘ軸選択アーム
１０８，１１２  アーム移動機構部
0004210891.tif 000002
0004210891.tif 000003
0004210891.tif 000004
0004210891.tif 000005
0004210891.tif 000006
0004210891.tif 000007
0004210891.tif 000008
0004210891.tif 000009
0004210891.tif 000010
0004210891.tif 000011
0004210891.tif 000012
0004210891.tif 000013
0004210891.tif 000014
0004210891.tif 000015
0004210891.tif 000016
0004210891.tif 000017
0004210891.tif 000018
0004210891.tif 000019
0004210891.tif 000020
0004210891.tif 000021
0004210891.tif 000022
0004210891.tif 000023
0004210891.tif 000024
0004210891.tif 000025
0004210891.tif 000026
0004210891.tif 000027
0004210891.tif 000028
0004210891.tif 000029
0004210891.tif 000030
0004210891.tif 000031
0004210891.tif 000032
0004210891.tif 000033
0004210891.tif 000034
0004210891.tif 000035
0004210891.tif 000036
0004210891.tif 000037
0004210891.tif 000038
0004210891.tif 000039
0004210891.tif 000040
0004210891.tif 000041
0004210891.tif 000042
0004210891.tif 000043
0004210891.tif 000044